(57)【要約】  テレコミュニケーションシステムにおいて電力ヘッドルームレポートを与えるのに使用できる方法、装置、及びソフトウェア。その方法は、電力ヘッドルームレポートコントロール要素をアップリンクにおいて送信するようにユーザ装置を構成することを含む。電力ヘッドルームレポートコントロール要素は、どの電力ヘッドルームレポートが報告されるか指示するビットマップを含む。その方法は、更に、電力ヘッドルームレポートコントロール要素をユーザ装置から受信することを含む。その方法は、更に、受信した電力ヘッドルームレポートコントロール要素をユーザ装置の構成に基づいて処理することを含む。【選択図】      図６
2013534769.tif 000002
【特許請求の範囲】
【請求項１】
電力ヘッドルームレポートコントロール要素をアップリンクにおいて送信するようにユーザ装置を構成する段階であって、前記電力ヘッドルームレポートコントロール要素は、どの電力ヘッドルームレポートが報告されるか指示するビットマップを含むものである段階と、
前記電力ヘッドルームレポートコントロール要素をユーザ装置から受信する段階と、
前記受信した電力ヘッドルームレポートコントロール要素をユーザ装置の構成に基づいて処理する段階と、
を備えた方法。
【請求項２】
前記受信した電力ヘッドルームレポートコントロール要素を処理する段階を更に備え、前記ビットマップは、ＭＡＣサブヘッダ又はペイロードにある、請求項１に記載の方法。
【請求項３】
前記受信した電力ヘッドルームレポートコントロール要素を処理する段階を更に備え、前記ビットマップは、一次サービングセルのためのタイプ１の電力ヘッドルームレポート又は一次サービングセルのためのタイプ２の電力ヘッドルームレポートに対する少なくとも１つのビットを含む、請求項１又は２に記載の方法。
【請求項４】
前記受信した電力ヘッドルームレポートコントロール要素を処理する段階を更に備え、前記ビットマップは、複数の二次セルのための電力ヘッドルームレポートに対するビットを含む、請求項１から３のいずれかに記載の方法。
【請求項５】
ベースステーションにより構成されたトリガーに基づき電力ヘッドルームレポートコントロール要素を準備する段階であって、前記トリガーは、電力ヘッドルームレポートコントロール要素をアップリンクにおいていつ送信すべきか決定するものであり、前記コントロール要素を準備することは、どの電力ヘッドルームレポートが報告されるか指示するビットマップを合体することを含むような段階と、
前記準備した電力ヘッドルームレポートコントロール要素をベースステーションへ送信する段階と、
を備えた方法。
【請求項６】
前記コントロール要素を準備する段階は、前記ビットマップをＭＡＣサブヘッダ又はペイロードにおいて準備することを含む、請求項５に記載の方法。
【請求項７】
前記コントロール要素を準備する段階は、一次サービングセルのためのタイプ１の電力ヘッドルームレポート又は一次サービングセルのためのタイプ２の電力ヘッドルームレポートに対する少なくとも１つのビットを含ませるように前記ビットマップを準備することを含む、請求項５又は６に記載の方法。
【請求項８】
前記コントロール要素を準備する段階は、複数の二次セルのための電力ヘッドルームレポートに対するビットを含ませるように前記ビットマップを準備することを含む、請求項５から７のいずれかに記載の方法。
【請求項９】
ハードウェアで実行されたときにそのハードウェアがプロセスを遂行するようにさせるコンピュータプログラムでエンコードされるコンピュータ読み取り可能な媒体において、前記プロセスは、
電力ヘッドルームレポートコントロール要素をアップリンクにおいて送信するようユーザ装置を構成することをなし、前記電力ヘッドルームレポートコントロール要素は、どの電力ヘッドルームレポートが報告されるか指示するビットマップを含み、
前記電力ヘッドルームレポートコントロール要素をユーザ装置から受信し、更に、
前記受信した電力ヘッドルームレポートコントロール要素をユーザ装置の構成に基づいて処理する、
ことを含むものである、コンピュータ読み取り可能な媒体。
【請求項１０】
前記プロセスは、受信した電力ヘッドルームレポートコントロール要素を処理することを含み、前記コントロール要素は、ＭＡＣサブヘッダ又はペイロードにビットマップを含む、請求項８に記載のコンピュータ読み取り可能な媒体。
【請求項１１】
前記プロセスは、受信した電力ヘッドルームレポートコントロール要素を処理することを含み、前記ビットマップは、一次サービングセルのためのタイプ１の電力ヘッドルームレポート又は一次サービングセルのためのタイプ２の電力ヘッドルームレポートに対する少なくとも１つのビットを含む、請求項９又は１０に記載のコンピュータ読み取り可能な媒体。
【請求項１２】
前記プロセスは、受信した電力ヘッドルームレポートコントロール要素を処理することを含み、前記ビットマップは、複数の二次セルのための電力ヘッドルームレポートに対するビットを含む、請求項９から１１のいずれかに記載の非一時的なコンピュータ読み取り可能な媒体。
【請求項１３】
ハードウェアで実行されたときにそのハードウェアがプロセスを遂行するようにさせるコンピュータプログラムでエンコードされるコンピュータ読み取り可能な媒体において、前記プロセスは、
ベースステーションにより構成されたトリガーに基づいて電力ヘッドルームレポートコントロール要素を準備し、前記トリガーは、電力ヘッドルームレポートコントロール要素をアップリンクにおいていつ送信すべきか決定し、前記コントロール要素を準備することは、どの電力ヘッドルームレポートが報告されるか指示するビットマップを合体することを含み、更に、
前記準備した電力ヘッドルームレポートコントロール要素をベースステーションへ送信する、
ことを含むものであるコンピュータ読み取り可能な媒体。
【請求項１４】
前記コントロール要素を準備することは、前記ビットマップをＭＡＣサブヘッダ又はペイロードにおいて準備することを含む、請求項１３に記載のコンピュータ読み取り可能な媒体。
【請求項１５】
前記コントロール要素を準備することは、一次サービングセルのためのタイプ１の電力ヘッドルームレポート又は一次サービングセルのためのタイプ２の電力ヘッドルームレポートに対する少なくとも１つのビットを含ませるように前記ビットマップを準備することを含む、請求項１３又は１４に記載のコンピュータ読み取り可能な媒体。
【請求項１６】
前記コントロール要素を準備することは、複数の二次セルのための電力ヘッドルームレポートに対するビットを含ませるように前記ビットマップを準備することを含む、請求項１３から１５のいずれかに記載のコンピュータ読み取り可能な媒体。
【請求項１７】
少なくとも１つのプロセッサと、
コンピュータプログラムコードを含む少なくとも１つのメモリと、
を備えた装置において、前記少なくとも１つのメモリ及びコンピュータプログラムコードは、前記少なくとも１つのプロセッサと共に、前記装置が、少なくとも、
電力ヘッドルームレポートコントロール要素をアップリンクにおいて送信するようにユーザ装置を構成し、電力ヘッドルームレポートコントロール要素は、どの電力ヘッドルームレポートが報告されるか指示するビットマップを含むものであり、
前記電力ヘッドルームレポートコントロール要素をユーザ装置から受信し、
前記受信した電力ヘッドルームレポートコントロール要素をユーザ装置の構成に基づいて処理する、
ようにさせるよう構成された、装置。
【請求項１８】
前記少なくとも１つのメモリ及びコンピュータプログラムコードは、前記少なくとも１つのプロセッサと共に、前記装置が、少なくとも、前記受信した電力ヘッドルームレポートコントロール要素を処理するようにさせ、前記コントロール要素は、前記ビットマップをＭＡＣサブヘッダ又はペイロードに含んでいる、請求項１７に記載の装置。
【請求項１９】
前記少なくとも１つのメモリ及びコンピュータプログラムコードは、前記少なくとも１つのプロセッサと共に、前記装置が、少なくとも、前記受信した電力ヘッドルームレポートコントロール要素を処理するようにさせ、前記ビットマップは、一次サービングセルのためのタイプ１の電力ヘッドルームレポート又は一次サービングセルのためのタイプ２の電力ヘッドルームレポートに対する少なくとも１つのビットを含む、請求項１７又は１８に記載の装置。
【請求項２０】
前記少なくとも１つのメモリ及びコンピュータプログラムコードは、前記少なくとも１つのプロセッサと共に、前記装置が、少なくとも、前記受信した電力ヘッドルームレポートコントロール要素を処理するようにさせ、前記ビットマップは、複数の二次セルのための電力ヘッドルームレポートに対するビットを含む、請求項１７から１９のいずれかに記載の装置。
【請求項２１】
少なくとも１つのプロセッサと、
コンピュータプログラムコードを含む少なくとも１つのメモリと、
を備えた装置において、前記少なくとも１つのメモリ及びコンピュータプログラムコードは、前記少なくとも１つのプロセッサと共に、前記装置が、少なくとも、
ベースステーションにより構成されたトリガーに基づいて電力ヘッドルームレポートコントロール要素を準備し、前記トリガーは、電力ヘッドルームレポートコントロール要素をアップリンクにおいていつ送信すべきか決定するものであり、前記コントロール要素を準備することは、どの電力ヘッドルームレポートが報告されるか指示するビットマップを合体することを含み、更に、
前記準備した電力ヘッドルームレポートコントロール要素をベースステーションへ送信する、
ようにさせるよう構成された、装置。
【請求項２２】
前記少なくとも１つのメモリ及びコンピュータプログラムコードは、前記少なくとも１つのプロセッサと共に、前記装置が、少なくとも、ＭＡＣサブヘッダ又はペイロードにおいて前記ビットマップを準備することにより前記コントロール要素を準備するようにさせるよう構成された、請求項２１に記載の装置。
【請求項２３】
前記少なくとも１つのメモリ及びコンピュータプログラムコードは、前記少なくとも１つのプロセッサと共に、前記装置が、少なくとも、一次サービングセルのためのタイプ１の電力ヘッドルームレポート又は一次サービングセルのためのタイプ２の電力ヘッドルームレポートに対する少なくとも１つのビットを含むように前記ビットマップを準備することにより前記コントロール要素を準備するようにさせるよう構成された、請求項２１又は２２に記載の装置。
【請求項２４】
前記少なくとも１つのメモリ及びコンピュータプログラムコードは、前記少なくとも１つのプロセッサと共に、前記装置が、少なくとも、複数の二次セルのための電力ヘッドルームレポートに対するビットを含むように前記ビットマップを準備することにより前記コントロール要素を準備するようにさせるよう構成された、請求項２１から２３のいずれかに記載の装置。
【請求項２５】
電力ヘッドルームレポートコントロール要素をアップリンクにおいて送信するようにユーザ装置を構成するための構成手段を備え、前記電力ヘッドルームレポートコントロール要素は、どの電力ヘッドルームレポートが報告されるか指示するビットマップを含むものであり、更に、
前記前記電力ヘッドルームレポートコントロール要素をユーザ装置から受信するための受信手段と、
前記受信した電力ヘッドルームレポートコントロール要素をユーザ装置の構成に基づいて処理するための処理手段と、
を備えた装置。
【請求項２６】
前記処理手段は、前記受信した電力ヘッドルームレポートコントロール要素を処理するように構成され、前記ビットマップは、ＭＡＣサブヘッダ又はペイロードにある、請求項２５に記載の装置。
【請求項２７】
前記処理手段は、前記受信した電力ヘッドルームレポートコントロール要素を処理するように構成され、前記ビットマップは、一次サービングセルのためのタイプ１の電力ヘッドルームレポート又は一次サービングセルのためのタイプ２の電力ヘッドルームレポートに対する少なくとも１つのビットを含む、請求項２５又は２６に記載の装置。
【請求項２８】
前記処理手段は、前記受信した電力ヘッドルームレポートコントロール要素を処理するように構成され、前記ビットマップは、複数の二次セルのための電力ヘッドルームレポートに対するビットを含む、請求項２５から２７のいずれかに記載の装置。
【請求項２９】
ベースステーションにより構成されたトリガーに基づき電力ヘッドルームレポートコントロール要素を準備するための準備手段を備え、前記トリガーは、電力ヘッドルームレポートコントロール要素をアップリンクにおいていつ送信すべきか決定するものであり、前記コントロール要素を準備することは、どの電力ヘッドルームレポートが報告されるか指示するビットマップを合体することを含み、更に、
前記準備された電力ヘッドルームレポートコントロール要素をベースステーションへ送信するための送信手段を備えた、装置。
【請求項３０】
前記準備手段は、前記ビットマップをＭＡＣサブヘッダ又はペイロードにおいて準備するように構成される、請求項２９に記載の装置。
【請求項３１】
前記準備手段は、一次サービングセルのためのタイプ１の電力ヘッドルームレポート又は一次サービングセルのためのタイプ２の電力ヘッドルームレポートに対する少なくとも１つのビットを含ませるように前記ビットマップを準備することにより前記コントロール要素を準備するよう構成された、請求項２９または３０に記載の装置。
【請求項３２】
前記準備手段は、複数の二次セルのための電力ヘッドルームレポートに対するビットを含むように前記ビットマップを準備することにより前記コントロール要素を準備するよう構成された、請求項２９から３１のいずれかに記載の装置。
【発明の詳細な説明】
【技術分野】
【０００１】
本発明は、電力ヘッドルームレポート(Power Headroom Report)を伴うキャリアアグリゲーションに関する。
【０００２】
キャリアアグリゲーション（ＣＡ）とは、進化型ユニバーサル地上無線アクセス（Ｅ−ＵＴＲＡ）ネットワーク（Ｅ−ＵＴＲＡＮ）のようなネットワークに適用できる技術である。この技術は、他の種類のネットワークにも使用されるので、Ｅ−ＵＴＲＡＮは、一例に過ぎない。キャリアアグリゲーションでは、例えば、１００ＭＨｚまでの広い送信帯域巾をサポートするために及びスペクトル集合のために、２つ以上のコンポーネントキャリア（ＣＣ）又はサービングセルを集合させることができる。又、キャリアアグリゲーションでは、同じエンハンストノードＢ（ｅＮＢ）から発生する異なる数のコンポーネントキャリア又はサービングセルを、そしてアップリンク（ＵＬ）及びダウンリンク（ＤＬ）におけるおそらく異なる帯域巾を集合させるように、ユーザ装置（ＵＥ）を構成することができる。
【背景技術】
【０００３】
キャリアアグリゲーションを伴わない第３世代パートナーシッププロジェクト（３ＧＰＰ）のリリース８及び９では、３ＧＰＰ仕様３６．３２１に述べられたように、次のいずれかが生じた場合に、電力ヘッドルームレポートがトリガーされる。即ち、ユーザ装置が新たな送信のためのアップリンクリソースを有するときの電力ヘッドルームレポートの送信以来、“prohibitPHR-Timer”と称されるタイマーが満了となるか、又はそれが満了となり且つ経路ロスが所定量“dl-PathlossChange”ｄＢより多く変化した場合；“periodicPHT-Timer”と称されるタイマーが満了となる場合；又は機能をディスエイブルするのに使用されない上位レイヤにより電力ヘッドルームレポート機能を構成又は再構成した場合。“prohibitPHR-Timer”、“periodicPHT-Timer”及び“dl-PathlossChange”は、無線リソースコントローラにより構成される。同様の電力ヘッドルームレポートトリガーをキャリアアグリゲーションに適用することもできる。電力ヘッドルームレポートがトリガーされると、スケジュールされたＣＣ（又はサービングセル）或いは構成されたＣＣ（又は構成されたサービングセル）の全部に関する電力ヘッドルームレポートが報告されねばならない。
【発明の概要】
【発明が解決しようとする課題】
【０００４】
電力ヘッドルームレポートに対処する１つの解決策は、各々の電力ヘッドルームレポート（ＰＨＲ）をそれに対応するコンポーネントキャリアに制限することである。そのような解決策は、変化を最小にするが、潜在的なハイブリッド自動リピート要求（ＨＡＲＱ）再送タイミング差のために、ｅＮＢは、全てのコンポーネントキャリアから同時に電力ヘッドルームレポートを得ることはできない。更に、報告されるコンポーネントキャリア（又はサービングセル）ごとに１つの論理的チャンネル識別子（ＬＣＩＤ）が使用され、オーバーヘッドを増加させる。
【０００５】
別の選択肢は、どのコンポーネントキャリア（又はサービングセル）を参照しているか示すために電力ヘッドルームレポートごとにクロスキャリア指示子を伴うクロスキャリア電力ヘッドルームレポートを許すことである。この解決策は、個々の電力ヘッドルームレポートごとに１つのメディアアクセスコントロール（ＭＡＣ）サブヘッダ、又はそのような可変サイズペイロードの長さを指示する「長さ」フィールドを要求する。更に、電力ヘッドルームレポートのＭＡＣコントロール要素（ＣＥ）には、２Ｒビットしかなく、５つのコンポーネントキャリア（又はサービングセル）を指示するには不充分である。
【課題を解決するための手段】
【０００６】
方法は、ある実施形態において、電力ヘッドルームレポートコントロール要素をアップリンクにおいて送信するようにユーザ装置を構成することを含む。電力ヘッドルームレポートコントロール要素は、どの電力ヘッドルームレポートが報告されるか指示するビットマップを含む。この方法は、更に、電力ヘッドルームレポートコントロール要素をユーザ装置から受信することを含む。この方法は、更に、受信した電力ヘッドルームレポートコントロール要素をユーザ装置の構成に基づいて処理することを含む。
【０００７】
方法は、別の実施形態において、ベースステーションにより構成されたトリガーに基づき電力ヘッドルームレポートコントロール要素を準備することを含む。トリガーは、電力ヘッドルームレポートコントロール要素をアップリンクにおいていつ送信すべきか決定する。コントロール要素を準備することは、どの電力ヘッドルームレポートが報告されるか指示するビットマップを合体することを含む。この方法は、更に、準備された電力ヘッドルームレポートコントロール要素をベースステーションへ送信することを含む。
【０００８】
コンピュータ読み取り可能な媒体は、更に別の実施形態において、ハードウェアで実行されたときにそのハードウェアがプロセスを遂行するようにさせるコンピュータプログラムでエンコードされる。そのプロセスは、電力ヘッドルームレポートコントロール要素をアップリンクにおいて送信するようにユーザ装置を構成することを含む。電力ヘッドルームレポートコントロール要素は、どの電力ヘッドルームレポートが報告されるか指示するビットマップを含む。そのプロセスは、更に、電力ヘッドルームレポートコントロール要素をユーザ装置から受信することも含む。そのプロセスは、更に、受信した電力ヘッドルームレポートコントロール要素をユーザ装置の構成に基づいて処理することも含む。
【０００９】
コンピュータ読み取り可能な媒体は、別の実施形態において、ハードウェアで実行されたときにそのハードウェアがプロセスを遂行するようにさせるコンピュータプログラムでエンコードされる。そのプロセスは、ベースステーションにより構成されたトリガーに基づいて電力ヘッドルームレポートコントロール要素を準備することを含む。トリガーは、電力ヘッドルームレポートコントロール要素をアップリンクにおいていつ送信すべきか決定する。コントロール要素を準備することは、どの電力ヘッドルームレポートが報告されるか指示するビットマップを合体することを含む。このプロセスは、更に、準備した電力ヘッドルームレポートコントロール要素をベースステーションへ送信することも含む。
【００１０】
装置は、ある実施形態において、少なくとも１つのプロセッサと、コンピュータプログラムコードを含む少なくとも１つのメモリとを備えている。少なくとも１つのメモリ及びコンピュータプログラムコードは、少なくとも１つのプロセッサと共に、装置が、少なくとも、電力ヘッドルームレポートコントロール要素をアップリンクにおいて送信するようにユーザ装置を構成するようにさせるよう構成される。電力ヘッドルームレポートコントロール要素は、どの電力ヘッドルームレポートが報告されるか指示するビットマップを含む。又、少なくとも１つのメモリ及びコンピュータプログラムコードは、少なくとも１つのプロセッサと共に、装置が、少なくとも、電力ヘッドルームレポートコントロール要素をユーザ装置から受信するようにさせるよう構成される。更に、少なくとも１つのメモリ及びコンピュータプログラムコードは、少なくとも１つのプロセッサと共に、装置が、少なくとも、受信した電力ヘッドルームレポートコントロール要素をユーザ装置の構成に基づいて処理するようにさせるよう構成される。
【００１１】
装置は、別の実施形態において、少なくとも１つのプロセッサと、コンピュータプログラムコードを含む少なくとも１つのメモリとを備えている。少なくとも１つのメモリ及びコンピュータプログラムコードは、少なくとも１つのプロセッサと共に、装置が、少なくとも、ベースステーションにより構成されたトリガーに基づいて電力ヘッドルームレポートコントロール要素を準備するようにさせるよう構成される。トリガーは、電力ヘッドルームレポートコントロール要素をアップリンクにおいていつ送信すべきか決定する。少なくとも１つのメモリ及びコンピュータプログラムコードは、少なくとも１つのプロセッサと共に、装置が、少なくとも、どの電力ヘッドルームレポートが報告されるか指示するビットマップを合体することによりコントロール要素を準備するようにさせるよう構成される。又、少なくとも１つのメモリ及びコンピュータプログラムコードは、少なくとも１つのプロセッサと共に、装置が、少なくとも、準備した電力ヘッドルームレポートコントロール要素をベースステーションへ送信するようにさせるよう構成される。
【００１２】
装置は、ある実施形態では、電力ヘッドルームレポートコントロール要素をアップリンクにおいて送信するようにユーザ装置を構成するための構成手段を備えている。電力ヘッドルームレポートコントロール要素は、どの電力ヘッドルームレポートが報告されるか指示するビットマップを含む。又、この装置は、電力ヘッドルームレポートコントロール要素をユーザ装置から受信するための受信手段も備えている。この装置は、更に、受信した電力ヘッドルームレポートコントロール要素をユーザ装置の構成に基づいて処理するための処理手段も備えている。
【００１３】
装置は、ある実施形態によれば、ベースステーションにより構成されたトリガーに基づき電力ヘッドルームレポートコントロール要素を準備するための準備手段を備えている。トリガーは、電力ヘッドルームレポートコントロール要素をアップリンクにおいていつ送信すべきか決定する。コントロール要素を準備することは、どの電力ヘッドルームレポートが報告されるか指示するビットマップを合体することを含む。又、この装置は、準備された電力ヘッドルームレポートコントロール要素をベースステーションへ送信するための送信手段も備えている。
【００１４】
本発明を適切に理解するために、添付図面を参照して詳細に説明する。
【図面の簡単な説明】
【００１５】
【図１】キャリアアグリゲーションを示す。
【図２】Ｅ１／Ｒ／ＬＣＩＤサブヘッダを示す。
【図３】電力ヘッドルームレポートのためのサブヘッダを示す。
【図４】各コンポーネントキャリアに対する個々の電力ヘッドルームレポートを示す。
【図５】電力ヘッドルームレポートのためのビットマップを第１オクテットとして含む電力ヘッドルームレポートペイロードを示す。
【図６】本発明の実施形態に基づく方法を示す。
【図６Ａ】本発明の実施形態に基づく方法を示す。
【図６Ｂ】本発明の実施形態に基づく方法を示す。
【図７】本発明の実施形態に基づく方法を示す。
【図８】本発明の実施形態に基づくシステムを示す。
【図９】単一ビットを使用して、タイプ１の電力ヘッドルームレポートが使用されるかタイプ２の電力ヘッドルームレポートが使用されるか指示するフォーマットを示す。
【図１０】ＰＣｅｌｌの電力ヘッドルームレポートペイロードにおいてＲビットを経てタイプ１及びタイプ２の電力ヘッドルームレポートを指示するフォーマットを示す。
【図１１】タイプ１の場合のフォーマットは、リリース８のフォーマットに対応するが、タイプ２の電力ヘッドルームレポートに対して新たな論理的チャンネル識別子を使用するフォーマットを示す。
【図１２】各個々の電力ヘッドルームレポートが６ビットであり、ペイロードがバイト整列されないときにバイト整列のためのＲビットをもつフォーマットを示す。
【図１３】各個々の電力ヘッドルームレポートが６ビットであり、ペイロードがバイト整列されたときにバイト整列のためのＲビットをもたないフォーマットを示す。
【発明を実施するための形態】
【００１６】
本発明の幾つかの実施形態は、どの電力ヘッドルームレポートが報告されるか指示するビットマップでスタートできる新規な電力ヘッドルームレポートＭＡＣコントロール要素を使用して電力ヘッドルームを報告する。ビットマップの各ビットは、特定の電力ヘッドルームレポート（例えば、一次サービングセル（ＰＣｅｌｌ）ＰＨＲ、二次サービングセル（ＳＣｅｌｌ）、例えば、ＳＣｅｌｌ１、ＰＨＲ＃）にリンクされ、そしてビットマップにおいてビットが読み取られる順序は、電力ヘッドルームレポートがビットマップに続く順序も定義する。それ故、ビットマップは、電力ヘッドルームレポートＭＡＣコントロール要素のサイズを指示することができる。従って、コントロール要素は、可変電力ヘッドルームレポートサイズに対処し、個々の電力ヘッドルームレポート当たり１つのサブヘッダを使用することを回避することができる。
【００１７】
オーバーヘッドを減少することがスケジュールされたサービングセルへの電力ヘッドルームレポートを制限すると共に、ユーザ装置側からの電力ヘッドルーム評価を簡単にすることが有益である。又、ｅＮＢが、スケジュールされた全てのサービングセルに対して同時に電力ヘッドルームレポートを得るのが有益である。ハイブリッド自動リピート要求（ＨＡＲＱ）再送には潜在的にタイミング差があるので、同じ送信時間インターバル（ＴＴＩ）において新たな送信で全てのコンポーネントキャリアをスケジューリングすることは不可能である。
【００１８】
キャリアアグリゲーションの原理が図１に示されている。第３世代パートナーシッププロジェクト（３ＧＰＰ）リリース８（Ｒｅｌ−８）のユーザ装置は、スタンドアローンコンポーネントキャリア又はサービングセルによりサービスされるが、リリース１０（Ｒｅｌ−１０）ターミナルは、同じ送信時間インターバル（ＴＴＩ）内に複数のコンポーネントキャリア又はリモートサービングセルにおいて同時に受信又は送信するように構成することができる。
【００１９】
キャリアアグリゲーションが構成されたとき、ユーザ装置は、ネットワークとの無線リソースコントロール（ＲＲＣ）接続を１つしかもたない。ＲＲＣ接続確立／再確立では、１つのサービングセルが、Ｒｅｌ−８／９と同様に、セキュリティ入力及び非アクセス層（ＮＡＳ）移動情報（例えば、タイミング進み情報（ＴＡＩ））を与える。セキュリティ入力は、１つのＥ−ＵＴＲＡＮセルグローバル識別子（ＥＣＧＩ）、１つの物理的セルアイデンティティ（ＰＣＩ）、及び１つの絶対的高周波チャンネル番号（ＡＲＦＣＮ）を含むことができる。
【００２０】
セキュリティ入力及びＮＡＳ移動情報を与えるこのセルは、一次サービングセル（ＰＣｅｌｌ）と称される。ダウンリンクでは、ＰＣｅｌｌに対応するキャリアは、ダウンリンク（ＤＬ）一次コンポーネントキャリア（ＤＬ  ＰＣＣ）であり、一方、アップリンクでは、アップリンク（ＵＬ）一次コンポーネントキャリア（ＵＬ  ＰＣＣ）である。
【００２１】
ユーザ装置の能力に基づき、二次サービングセル（ＳＣｅｌｌ）は、ＰＣｅｌｌと一緒に、サービングセルのセットを形成するように構成される。ダウンリンクでは、ＳＣｅｌｌに対応するキャリアは、ダウンリンク二次コンポーネントキャリア（ＤＬ  ＳＣＣ）であり、一方、アップリンクでは、アップリンク二次コンポーネントキャリア（ＵＬ  ＳＣＣ）である。
【００２２】
以上のことから、ユーザ装置のためのサービングセルの構成セットは、常に、１つのＰＣｅｌｌと、１つ以上のＳＣｅｌｌとを含む。各ＳＣｅｌｌでは、ダウンリンクリソースに加えてユーザ装置によるアップリンクリソースの使用を構成することができる。それ故、構成されるＤＬ  ＳＣＣの数は、常に、ＵＬ  ＳＣＣの数以上にセットされ、従って、アップリンクリソースのみの使用について構成されるＳＣｅｌｌはない。更に、構成することのできるサービングセルの数は、ユーザ装置のアグリゲーション能力に依存する。
【００２３】
更に、スケジューラを助けるために、ｅＮＢは、バッファ状態レポート（ＢＳＲ）及び電力ヘッドルームレポートをアップリンクにおいて送信するようにユーザ装置を構成することができる。ＢＳＲは、ユーザ装置が送信のために利用できるデータの量を指示する。電力ヘッドルームレポートは、ユーザ装置の公称最大送信電力と、アップリンク同期チャンネル（ＵＬ−ＳＣＨ）送信のための推定電力との差に関する情報をｅＮＢに与えることができる。
【００２４】
電力ヘッドルームレポートは、「電力ヘッドルーム」フィールドが電力ヘッドルームレベルを指示するＰＨＲメディアアクセスコントロール（ＭＡＣ）コントロール要素の形態でユーザ装置によりアップリンクに送信される。キャリアアグリゲーションの状況では、コンポーネントキャリア（又はサービングセル）ごとに、電力ヘッドルームレポートを使用することができ、そして任意であるが、ユーザ装置ごとに、電力ヘッドルームレポートをそれらの最上部に使用することができる。
【００２５】
上述したように、どのＰＨＲが報告されるか指示するビットマップでスタートする新規な電力ヘッドルームレポートＭＡＣコントロール要素を与えることができる。ビットマップの各ビットは、特定の電力ヘッドルームレポート（例えば、ＰＣｅｌｌ  ＰＨＲ、ＳＣｅｌｌ１、ＰＨＲ…）にリンクされ、そしてビットマップにおいてビットが読み取られる順序は、電力ヘッドルームレポートがビットマップに続く順序も定義する。それ故、ビットマップは、電力ヘッドルームレポートＭＡＣコントロール要素のサイズを指示する。
【００２６】
ビットマップにおけるビットは、電力ヘッドルーム（ＰＨ）フィールドが報告されるかどうか指示することができる。例えば、“１”にセットされたビットは、対応する二次セルのための電力ヘッドルームフィールドが報告されることを指示する。他方、“０”にセットされたビットは、対応する二次セルのための電力ヘッドルームフィールドが報告されないことを指示する。従って、例えば、ＳＣｅｌｌ＿ｉのビットが０にセットされた場合には、二次セルインデックスｉを伴う二次セルの電力ヘッドルームフィールドが報告されない。或いは又、“１”は、レポートが与えられないことを指示し、そして“０”は、レポートが与えられることを指示するという逆の慣習を使用してもよい。
【００２７】
例えば、ビットマップは、８ビットの長さであり、次のように編成することができる。第１のビットは、ユーザ装置の電力ヘッドルームレポート（ＵＥ−ＰＨＲ）に使用される。ＵＥ−ＰＨＲに第１のビットを使用することは、もちろん、任意なことである。ある実施形態では、ＣＣごとのＰＨＲに加えて、そのようなＰＨＲは必要とされない。
【００２８】
第２のビットは、ＰＣｅｌｌのタイプ１  ＰＨＲに使用される。第３のビットは、ＰＣｅｌｌのタイプ２  ＰＨＲに使用される。第４ないし第７のビットは、ＳＣｅｌｌ１、ＳＣｅｌｌ２、ＳＣｅｌｌ３、及びＳＣｅｌｌ４に対するものである。又、１つの予約ビットもある。他の実施形態では、例えば、第１のビットがＵＥ−ＰＨＲに使用されない場合に、２つ以上の予約ビットがある。
【００２９】
タイプ１及びタイプ２の電力ヘッドルームレポートは、以下の定義を使用する。それらの存在がｅＮＢに指示される。タイプ１の電力ヘッドルームレポートは、Ｐ＿ｃｍａｘ、ｃ−ＰＵＳＣＨ電力として計算することができる。タイプ２の電力ヘッドルームレポートは、Ｐ＿ｃｍａｘ、ｃ−ＰＵＣＣＨ電力−ＰＵＳＣＨ電力として計算することができる。
【００３０】
幾つかの付加的な事柄もある。ＰＣｅｌｌでは、ＴＴＩにタイプ１又はタイプ２のいずれかのＰＨＲしかない場合に、ビットマップの１ビットは、タイプを指示するのに使用される。
【００３１】
ＰＣｅｌｌの更に別の可能性は、ＰＣｅｌｌのＭＡＣサブヘッダにおけるＲビットを経てタイプ１及びタイプ２の電力ヘッドルームレポートを指示することである。このフォーマットが図９に示されている。ＰＣｅｌｌの更に別の可能性は、ＰＣｅｌｌの電力ヘッドルームレポートペイロードにおけるＲビットを経てタイプ１及びタイプ２の電力ヘッドルームレポートを指示することである。このフォーマットが図１０に示されている。更に別の可能性は、タイプ２の電力ヘッドルームレポートに対して新規な論理的チャンネル識別子を使用する一方、タイプ１については、フォーマットがリリース８フォーマットに対応するものでよい。次いで、ＰＣｅｌｌに対する電力ヘッドルームレポートしか含まれない場合は、ビットマップバイトが不要である。このフォーマットが図１１に示されている。
【００３２】
ＳＣｅｌｌの順序は、それらが構成された順序に基づくか、又はセルインデックス又はコンポーネントキャリアインデックスに基づくものである。ＴＴＩに１つのサービングセルに対する電力ヘッドルームレポートしか必要とされない場合には、簡単なフォーマットを使用することができる。
【００３３】
新規な電力ヘッドルームレポートフォーマットは、新規な論理的チャンネル識別子（ＬＣＩＤ）を使用するか、或いはサブヘッダのＲビットの１つを使用して、ビットマップの発生を指示することができる。このビットは、図２にＥ１と示されている。ビットマップは、電力ヘッドルームレポートのためのＭＡＣサブヘッダに続くか、又は電力ヘッドルームレポートペイロードの第１バイトである。図３は、電力ヘッドルームレポートのビットマップがサブヘッダを有することを示している。
【００３４】
各コンポーネントキャリア、各タイプ又はＵＥ  ＰＨＲごとの個々の電力ヘッドルームレポートは、リリース８又はリリース９に見られるもの、即ちコンポーネントキャリアごとに２Ｒビット＋６ビットＰＨを伴う１バイト、に類似している。この解決策が図４に示されている。或いは又、各個々の電力ヘッドルームレポートは、６ビットであり、図１２に示すように、ペイロードがバイト整列されないときには、バイト整列のためにＲビットを伴い、図１３に示すように、バイト整列されるときには、Ｒビットは不要である。図５は、ペイロードの第１オクテットが電力ヘッドルームレポートのビットマップである別の実施形態を示す。
【００３５】
本発明の種々の実施形態は、好都合な効果を発揮する。例えば、幾つかの実施形態において、各個々の電力ヘッドルームレポート（異なる形式の電力ヘッドルームレポート、各コンポーネントキャリアに対するコンポーネントキャリアごとの電力ヘッドルームレポート、及びＵＥごとの電力ヘッドルームレポート）に対して個別のＭＡＣサブヘッダを有する必要がない。従って、オーバーヘッドが減少される。更に、可変サイズの不確実性から生じる問題を回避し又は取り扱うことができる。更に、本発明の幾つかの実施形態は、各個々の電力ヘッドルームレポートに対して個別にクロスＣＣ指示子をもたずに、どのコンポーネントキャリアに電力ヘッドルームレポートが含まれるか明確に且つ効率的に指示することができる。
【００３６】
図６は、本発明の幾つかの実施形態による方法を例示する。この方法は、ｅＮＢがユーザ装置に対する電力ヘッドルームレポート構成することを含む（６１０）。この方法において、電力ヘッドルームレポートをトリガーする（６２０）。この方法は、更に、どの形式の電力ヘッドルームレポート、及びどのコンポーネントキャリアの電力ヘッドルームを電力ヘッドルームレポートＭＡＣコントロール要素に含ませるべきか決定する（６３０）ことを含む。又、この方法は、電力ヘッドルームレポートの形式及び少なくとも１つのコンポーネントキャリアの電力ヘッドルームレポートをビットマップで指示する（６４０）ことも含む。
【００３７】
この方法は、ユーザ装置からベースステーションにおいて電力ヘッドルームレポートコントロール要素を受信する（６５０）ことを含む。この方法は、更に、受信した電力ヘッドルームレポートコントロール要素をユーザ装置の構成に基づいて処理する（６３０）ことも含む。
【００３８】
この方法は、受信した電力ヘッドルームレポートコントロール要素を処理する（６３１）ことを含み、コントロール要素は、メディアアクセスコントロールサブヘッダ又はペイロードにビットマップを含む。又、この方法は、受信した電力ヘッドルームレポートコントロール要素を処理する（６３３）ことを含み、ビットマップは、厳密に８ビットである。又、この方法は、受信した電力ヘッドルームレポートコントロール要素を処理する（６３５）ことを含み、ビットマップは、ユーザ装置電力ヘッドルームレポートの第１ビット、一次サービングセルに対するタイプ１の電力ヘッドルームレポートの第２ビット、一次サービングセルに対するタイプ２の電力ヘッドルームレポートの第３ビット、４つの二次セルに対する電力ヘッドルームレポートの第４ないし第７ビット、及び予約ビットを含む。８つのビットが予約ビットを含むので、電力ヘッドルームレポートコントロール要素は、長さが厳密に７ビットであると言われてもよい。
【００３９】
この方法は、更に、ビットマップにおいて、一次サービングセルに対して、電力ヘッドルームレポートペイロードのＲビットを経てタイプ１及びタイプ２の電力ヘッドルームレポートを指示する（６３７）ことも含む。それに加えて、この方法は、タイプ２の電力ヘッドルームレポートについては、論理的チャンネル識別子を使用するが、タイプ１については、フォーマットがリリース８フォーマットに対応するものでよい（６３９）ことも含む。
【００４０】
図７は、本発明の別の実施形態による方法を示す。図７の方法は、ｅＮＢが電力ヘッドルームレポートを送信するためのトリガーを構成する（７１０）ことを含む。又、この方法は、トリガーに基づいて、電力ヘッドルームレポートコントロール要素を準備する（７２０）ことも含む。コントロール要素を準備する（７２０）ことは、どの電力ヘッドルームレポートが報告されるか指示するビットマップを合体する（７３０）ことを含む。この方法は、更に、準備した電力ヘッドルームレポートコントロール要素をベースステーションへ送信する（７４０）ことも含む。
【００４１】
コントロール要素を準備する（７２０）ことは、ＭＡＣサブヘッダ又はペイロードにおいてビットマップを準備する（７２１）ことを含む。又、コントロール要素を準備する（７２０）ことは、ビットマップを厳密に８ビットであるように準備する（７２３）ことを含む。又、コントロール要素を準備する（７２０）ことは、ユーザ装置電力ヘッドルームレポートのための第１ビット、一次サービングセルのタイプ１の電力ヘッドルームレポートのための第２ビット、一次サービングセルのタイプ２の電力ヘッドルームレポートのための第３ビット、４つの二次セルの電力ヘッドルームレポートのための第４ないし第７ビット、及び予約ビットを含むようにビットマップを準備する（７２５）ことを含む。
【００４２】
この方法は、更に、ビットマップにおいて、一次サービングセルに対して、電力ヘッドルームレポートペイロードにおけるＲビットを経てタイプ１及びタイプ２の電力ヘッドルームレポートを指示する（７２７）ことを含む。この方法は、それに加えて、タイプ２の電力ヘッドルームレポートに対して論理的チャンネル識別子を使用するが、タイプ１については、フォーマットがリリース８フォーマットに対応するものでよい（７２９）ことも含む。
【００４３】
図６−７について述べた方法は、種々に具現化することができる。例えば、この方法は、ハードウェア技術を使用して具現化することもできるし、又は汎用コンピューティング装置を、それにソフトウェアインストラクションを供給することにより特定のマシンへと形成することで具現化することもできる。ソフトウェアインストラクションは、非一時的なコンピュータ読み取り可能な媒体のような有形の適当な媒体であるコンピュータ読み取り可能な媒体上にある。従って、例えば、媒体は、ハードディスクドライブでもよいし、フラッシュドライブでもよい。任意の形式のランダムアクセスメモリ（ＲＡＭ）又はリードオンリメモリ（ＲＯＭ）を受け容れることができる。ソフトウェアインストラクションは、上述した方法を遂行するためにハードウェアと構造的に及び／又は機能的に相互関連させることができる。
【００４４】
図８は、本発明のある実施形態によるシステムを示す。図８に示すシステムは、第１の装置８１０及び第２の装置８２０を備えている。第１の装置８１０は、例えば、ｅＮＢ、ベースステーション又は同様の装置である。第２の装置８２０は、例えば、キャリアアグリゲーションを許すネットワークにおいて通信するために装備されたユーザ装置である。
【００４５】
第１の装置８１０及び第２の装置８２０は、各々、コンピュータプログラムコード８４０を含む少なくとも１つのメモリ８３０、及び少なくとも１つのプロセッサ８５０を備えている。メモリ８３０は、ＲＡＭ又はＲＯＭのような適当なデータ記憶装置である。コンピュータプログラムコード８４０は、マシン言語へとコンパイルされるか又は解釈言語で与えられるインストラクションのような適当なコンピュータインストラクションである。少なくとも１つのプロセッサ８５０は、１つ以上のコントローラ、中央処理ユニット（ＣＰＵ）、又は特定用途向け集積回路（ＡＳＩＣ）のような処理装置である。少なくとも１つのメモリ８３０及びコンピュータプログラムコード８４０は、少なくとも１つのプロセッサ８５０と共に、第１の装置８１０又は第２の装置８２０が、図６−７に示すプロセスのようなプロセスを遂行するようにさせるよう構成される。
【００４６】
第１の装置８１０及び第２の装置８２０は、更に、受信器８６３及び送信器８６７を含むトランシーバ８６０を備えている。第１の装置８１０及び第２の装置８２０は、各々、各アンテナ８７０を使用してワイヤレスリンク８８０を経て通信するように構成される。
【００４７】
当業者であれば、上述した発明は、ここに開示したものとは異なる順序のステップで、及び／又は異なる構成のハードウェア要素でも実施できることが容易に理解されよう。それ故、本発明は、好ましい実施形態に基づいて説明したが、本発明の精神及び範囲から逸脱せずに、幾つかの変更や修正や別の構造が当業者に明らかとなろう。
【符号の説明】
【００４８】
８１０：第１の装置
８２０：第２の装置
８３０：メモリ
８４０：コンピュータプログラムコード
８５０：プロセッサ
８６０：トランシーバ
８６３：受信器
８６７：送信器
８７０：アンテナ
８８０：ワイヤレスリンク
【図１】
2013534769.tif 000003
【図２】
2013534769.tif 000004
【図３】
2013534769.tif 000005
【図４】
2013534769.tif 000006
【図５】
2013534769.tif 000007
【図６】
2013534769.tif 000008
【図６Ａ】
2013534769.tif 000009
【図６Ｂ】
2013534769.tif 000010
【図７】
2013534769.tif 000011
【図８】
2013534769.tif 000012
【図９】
2013534769.tif 000013
【図１０】
2013534769.tif 000014
【図１１】
2013534769.tif 000015
【図１２】
2013534769.tif 000016
【図１３】
2013534769.tif 000017
【国際調査報告】
2013534769.tif 000018
2013534769.tif 000019
2013534769.tif 000020